(57)【特許請求の範囲】
【請求項１】
発光装置と、
前記発光装置からの光が端面から内部に入射される導光板と、
前記発光装置を収容し、前記導光板の前記端面を含む端部を保持する筐体と、
前記導光板の、前記端面を挟んで両側に位置する側面のうちの一方である第一側面に沿って配置された場合に、前記第一側面から放出される光によって情報を表示する、可撓性および透光性を有する表示シートとを備え、
前記表示シートは、前記表示シートの端部において所定の距離をあけて配置された第一係合部および第二係合部を有し、
前記筐体は、前記第一係合部と係合する第一取付部と、前記第一取付部から前記所定の距離とは異なる距離をあけて配置された、前記第二係合部と係合する第二取付部とを有し、
前記第一係合部は、前記表示シートの厚み方向に突出する第一突出部を有し、
前記第一取付部は、
前記第一係合部の前記第一突出部を有する部分の差し込みが可能な大きさの孔または切り欠きを形成する第一差込部と、
前記第一差込部から前記第一取付部と前記第二取付部とを結ぶ方向に沿って延設された第一空隙部であって、前記第一差込部に差し込まれた前記第一係合部の、前記第一取付部と前記第二取付部とを結ぶ方向の移動を許容し、かつ、前記差し込みの方向とは逆方向への抜け出しを許容しない大きさの空隙を形成する第一空隙部とを有する
照明装置。
【請求項２】
前記第一取付部と前記第二取付部との間の距離は、前記所定の距離よりも短く、前記第一空隙部は、前記第一差込部から前記第二取付部とは反対側に延設されており、前記第一差込部に差し込まれた前記第一係合部の、前記第二取付部とは反対側への移動を許容する
請求項１記載の照明装置。
【請求項３】
前記第二係合部は、前記表示シートの厚み方向に突出する第二突出部を有し、
前記第二取付部は、
前記第二係合部の前記第二突出部を有する部分の差し込みが可能な大きさの孔または切り欠きを形成する第二差込部と、
前記第二差込部から前記第一取付部とは反対側に延設された第二空隙部であって、前記第二差込部に差し込まれた前記第二係合部の、前記第一取付部とは反対側への移動を許容し、かつ、前記差し込みの方向とは逆方向への抜け出しを許容しない大きさの空隙を形成する第二空隙部とを有する
請求項２記載の照明装置。
【請求項４】
前記導光板の前記第一側面には、前記導光板の内部からの光の取出し効率を向上させる複数の凹または凸が形成されている
請求項１〜３のいずれか１項に記載の照明装置。
【請求項５】
さらに、前記第一側面と前記表示シートとに挟まれて配置され、前記第一側面から放出される光を拡散して透過させる光拡散シートを備える
請求項１〜４のいずれか１項に記載の照明装置。
【請求項６】
前記光拡散シートは、可撓性を有し、前記光拡散シートの端部が前記第一取付部および前記第二取付部と係合することで、前記筐体に着脱自在に取り付けられる
請求項５記載の照明装置。
【請求項７】
前記第一突出部は、軸を有する軸部材と、前記軸と嵌合する嵌合部材とを含み、
前記軸部材は、光拡散シートの端部に形成された取付孔、および、前記表示シートの端部に形成された取付孔に前記軸が貫通した状態で、前記嵌合部材と嵌合しており、
前記光拡散シートは、前記第一突出部が前記第一取付部と係合することで、前記表示シートともに、前記筐体に着脱自在に取り付けられる
請求項６記載の照明装置。
【請求項８】
前記光拡散シートは、前記第一側面から放出される光を拡散し、かつ、前記光の色を変換して透過させる
請求項５〜７のいずれか１項に記載の照明装置。
【請求項９】
前記第一取付部および前記第二取付部は、前記筐体における、前記導光板の第一側面側、および、前記導光板の前記端面を挟んで両側に位置する側面うちの他方である第二側面側の双方に配置されており、
前記表示シートは、前記第一係合部が前記第二側面側の前記第一取付部と係合し、前記第二係合部が前記第二側面側の前記第二取付部と係合することで前記第二側面に沿って配置された場合、前記第二側面から放出される光によって情報を表示する
請求項１〜８のいずれか１項に記載の照明装置。
【発明の詳細な説明】
【技術分野】
【０００１】
本発明は、情報を表示する照明装置に関する。
【背景技術】
【０００２】
従来、天井等に配設される照明装置であって、文字または図形等によって情報を表示する照明装置が存在する。
【０００３】
このような照明装置としては、例えば、「サイン照明」と呼ばれる、店舗の看板、広告、または、所定の場所への案内板等として用いられる照明装置がある。また、例えば、非常口または避難通路等の存在を示す誘導灯も、情報を表示する照明装置の一種である。
【０００４】
例えば特許文献１には、導光板の表面に反射ドットを複数形成し、側面に配設した光源からの光を反射ドットで反射させることにより導光板の表示面側に、反射ドットの配列を光の点からなる文字等の表示体として表示する光点式表示器が開示されている。
【先行技術文献】
【特許文献】
【０００５】
【特許文献１】特開２００４−６９７２９号公報
【発明の概要】
【発明が解決しようとする課題】
【０００６】
上記従来の技術では、導光板の表面に形成された複数の反射ドットによって情報が表示される。従って、例えば報知したい情報を変更する場合、導光板を取り替える必要があるため、表示する情報を変更することは容易ではない。
【０００７】
本発明は、上記従来の課題を考慮し、情報を表示する照明装置であって、表示する情報の変更を容易に行うことのできる照明装置を提供することを目的とする。
【課題を解決するための手段】
【０００８】
本発明の一態様に係る照明装置は、発光装置と、前記発光装置からの光が端面から内部に入射される導光板と、前記発光装置を収容し、前記導光板の前記端面を含む端部を保持する筐体と、前記導光板の、前記端面を挟んで両側に位置する側面のうちの一方である第一側面に沿って配置された場合に、前記第一側面から放出される光によって情報を表示する、可撓性および透光性を有する表示シートとを備え、前記表示シートは、前記表示シートの端部において所定の距離をあけて配置された第一係合部および第二係合部を有し、前記筐体は、前記第一係合部と係合する第一取付部と、前記第一取付部から前記所定の距離とは異なる距離をあけて配置された、前記第二係合部と係合する第二取付部とを有し、前記第一係合部は、前記表示シートの厚み方向に突出する第一突出部を有し、前記第一取付部は、前記第一係合部の前記第一突出部を有する部分の差し込みが可能な大きさの孔または切り欠きを形成する第一差込部と、前記第一差込部から前記第一取付部と前記第二取付部とを結ぶ方向に沿って延設された第一空隙部であって、前記第一差込部に差し込まれた前記第一係合部の、前記第一取付部と前記第二取付部とを結ぶ方向の移動を許容し、かつ、前記差し込みの方向とは逆方向への抜け出しを許容しない大きさの空隙を形成する第一空隙部とを有する。
【発明の効果】
【０００９】
本発明の一態様に係る照明装置によれば、当該照明装置が表示する情報の変更を容易に行うことができる。
【図面の簡単な説明】
【００１０】
【図１】図１は、実施の形態に係る照明装置の外観を示す斜視図である。
【図２】図２は、実施の形態に係る照明装置の分解斜視図である。
【図３Ａ】図３Ａは、発光装置および導光板を、導光板の第一側面の側から見た場合の部分拡大図である。
【図３Ｂ】図３Ｂは、発光装置および導光板を、発光装置の長手方向から見た場合の部分拡大図である。
【図４】図４は、表示シートが有する一対の係合部の間隔と、筐体が有する一対の取付部の間隔との関係を示す図である。
【図５】図５は、筐体が有する第一取付部および第二取付部の構成概要を示す図である。
【図６】図６は、表示シートの第一係合部が筐体の第一取付部と係合する様子を示す図である。
【図７】図７は、第一突出部の構成例を示す図である。
【図８】図８は、照明装置における表示シートの取り付けの手順を示す図である。
【図９】図９は、導光板の第二側面に沿って表示シートが配置される様子を示す図である。
【図１０】図１０は、実施の形態の変形例１に係る照明装置の構成概要を示す斜視図である。
【図１１】図１１は、実施の形態の変形例２に係る照明装置の構成概要を示す斜視図である。
【図１２】図１２は、実施の形態の変形例３に係る照明装置の構成概要を示す斜視図である。
【図１３】図１３は、実施の形態の変形例４に係る照明装置の構成概要を示す図である。
【発明を実施するための形態】
【００１１】
以下、実施の形態に係る照明装置について、図面を参照しながら説明する。なお、以下に説明する実施の形態は、本発明の一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付し、重複する説明は省略または簡略化される場合がある。
【００１３】
以下、実施の形態に係る照明装置について各図を参照しながら説明する。
【００１４】
［照明装置の全体構成］
まず、図１および図２を用いて、実施の形態に係る照明装置の構成の概要について説明する。
【００１５】
図１は、実施の形態に係る照明装置１００の外観を示す斜視図である。
【００１６】
図２は、実施の形態に係る照明装置１００の分解斜視図である。
【００１７】
図１および図２に示すように、実施の形態１に係る照明装置１００は、発光装置１１０と、発光装置１１０からの光が端面から内部に入射される導光板１２０と、発光装置１１０を収容し、導光板１２０の当該端面を含む端部を保持する筐体１３０とを備える。
【００１８】
照明装置１００は、さらに、情報を表示する、可撓性および透光性を有する表示シート１５０を備える。
【００１９】
表示シート１５０は、導光板１２０の、発光装置１１０側の端面を挟んで両側に位置する側面のうちの一方である第一側面１２１に沿って配置された場合に、第一側面１２１から放出される光によって情報を表示する。
【００２０】
表示シート１５０は、例えば、ＰＥＴ（Ｐｏｌｙｅｔｈｙｌｅｎｅ  ｔｅｒｅｐｈｔｈａｌａｔｅ）を素材とする透明なシート状の基材に、文字または図形等（以下、単に「図形等」という。）が印刷された部材であり、厚さは、例えば０．５ｍｍ程度である。
【００２１】
なお、上記基材への図形等の印刷は、例えば、インクジェットプリンタによって行うことができるため、多種多様な図形等の印刷を容易に行うことができる。また、印刷される図形等の色についても各種の色を用いることができる。
【００２２】
さらに、表示シート１５０において、内側の面（導光板１２０側の面）に、図形等を印刷することで、例えば清掃のために、表示シート１５０の外側の面を布等で擦られた場合であっても、印刷された図形等が削り取られるようなことがない。
【００２３】
また、本実施の形態における照明装置１００では、表示シート１５０の筐体１３０に対する着脱が容易である。そのための構成として、表示シート１５０は、表示シート１５０の端部において所定の距離をあけて配置された第一係合部１５１および第二係合部１５２を有する。筐体１３０は、第一係合部１５１と係合する第一取付部１４１と、第二係合部１５２と係合する第二取付部１４２とを有する。
【００２４】
表示シート１５０は、第一係合部１５１と第二係合部１５２との距離を縮ませるように撓まされた状態で、筐体１３０に対する取り付けおよび取り外しが行われる。
【００２５】
照明装置１００が有する、表示シート１５０の筐体１３０に対する着脱のための構造（着脱構造）および着脱の手順等については、図４〜図８を用いて後述する。
【００２６】
筐体１３０は、図２に示すように、発光装置１１０を点灯させるための駆動回路１７０が配置された本体部１３１と、発光装置１１０と導光板１２０とを保持する保持体１３２と、本体部１３１および保持体１３２を覆うカバー１３３とを有する。
【００２７】
なお、筐体１３０は、上記のように複数の部材で構成されている必要はなく、発光装置１１０および導光板１２０等の要素を保持することが可能な、単一の部材で構成されていてもよい。
【００２８】
また、照明装置１００は、外部からの電力を駆動回路１７０に供給する電線および駆動回路１７０から発光装置１１０に発光のための電力を供給するリード線等の他の要素も備えている。しかし、本実施の形態に係る照明装置１００の特徴を明確に説明するために、これら他の要素の図示および説明は省略する。
【００２９】
上記構成を有する照明装置１００は、例えば、屋内の天井面に配置される。具体的には、筐体１３０が天井面に取り付けられ、導光板１２０が、筐体１３０から下方に向けて吊り下げられた姿勢となる。この状態において、照明装置１００は、導光板１２０の側面に沿って配置された表示シート１５０に描かれた図形等によって情報を報知することができる。
【００３０】
［発光装置および導光板について］
次に、上記構成を有する照明装置１００の、発光装置１１０および導光板１２０の位置関係等について図３Ａおよび図３Ｂを用いて説明する。
【００３１】
図３Ａは、発光装置１１０および導光板１２０を、導光板１２０の第一側面１２１の側から見た場合の部分拡大図であり、図３Ｂは、発光装置１１０および導光板１２０を、発光装置１１０の長手方向から見た場合の部分拡大図である。なお、図３Ａおよび図３Ｂにおいて、保持体１３２等の、発光装置１１０および導光板１２０以外の要素の図示は省略されている。
【００３２】
図３Ａおよび図３Ｂに示すように、発光装置１１０は、長尺状の基板１１１と、基板１１１に実装された複数の発光素子１１２とを有する。発光装置１１０は、「発光モジュール」とも呼ばれる。
【００３３】
複数の発光素子１１２のそれぞれは、例えば表面実装型（ＳＭＤ：Ｓｕｒｆａｃｅ  Ｍｏｕｎｔ  Ｄｅｖｉｃｅ）のＬＥＤ素子であり、基板１１１の長手方向に並んで配置されている。表面実装型のＬＥＤ素子とは、樹脂成型されたキャビティの中にＬＥＤチップを実装して当該キャビティ内に蛍光体含有樹脂を封入したパッケージ型のＬＥＤ素子である。
【００３４】
例えば、青色ＬＥＤチップと黄色蛍光体含有樹脂との組み合わせにより白色光を放出する表面実装型ＬＥＤ素子が、発光素子１１２として採用される。
【００３５】
なお、発光装置１１０が有する複数の発光素子１１２のそれぞれは、ＬＥＤチップそのものであってもよい。つまり、発光装置１１０は、基板１１１上に複数のＬＥＤチップが直接実装された、ＣＯＢ（Ｃｈｉｐ  Ｏｎ  Ｂｏａｒｄ）型の発光装置（発光モジュール）であってもよい。この場合、例えば、基板１１１上に並んで配置された複数の青色ＬＥＤチップを、黄色蛍光体含有樹脂で封止することで、発光装置１１０から白色光が放出される。
【００３６】
複数の発光素子１１２のそれぞれから放出された光は、図３Ｂに示すように、導光板１２０の端面１２５から導光板１２０の内部に入射し、第一側面１２１および第二側面１２２から外方に放出される。
【００３７】
なお、導光板１２０の第一側面１２１は、導光板１２０の端面１２５を挟んで両側に位置する側面のうちの一方であり、第二側面１２２は、導光板１２０の端面１２５を挟んで両側に位置する側面のうちの他方である。
【００３８】
導光板１２０は、厚みが５ｍｍ程度の透明度の高い板材であり、例えばアクリル樹脂によって形成されている。
【００３９】
より詳細には、本実施の形態では、導光板１２０の、第一側面１２１および第二側面１２２のそれぞれには、複数の凹または凸が形成されており、これにより、第一側面１２１および第二側面１２２それぞれにおける光の取出し効率が向上されている。
【００４０】
つまり、第一側面１２１に複数の凹または凸が形成されていることで、導光板１２０の内部から様々な角度で第一側面１２１に入射する光の反射（界面における反射）が抑制される。その結果、第一側面１２１に複数の凹または凸が形成されていない場合よりも、第一側面１２１における光の取出し効率が向上する。このことは、第二側面１２２においても同じである。
【００４１】
なお、図２および図３Ａ等において、第一側面１２１に描かれた細かなドット群は、第一側面１２１に形成された複数の凹または凸を表している。つまり、第一側面１２１では、複数の凹または凸が形成された領域である凹凸領域の周囲に、複数の凹または凸が形成されていない領域である平坦領域が存在する。また、第二側面１２２にも同様に、凹凸領域とその周囲の平坦領域とが存在する。さらに、導光板１２０の４つの端面は平坦領域である。
【００４２】
つまり、簡単にいうと、導光板１２０において、表示シート１５０が沿って配置される領域以外は平坦領域であり、これにより、表示シート１５０による情報の表示に用いられない光が、特定の位置または領域に集光することが抑制される。具体的には、例えば、図１における導光板１２０の下端面から放出された光によって、直下の床面に光の筋が現れることが抑制される。
【００４３】
なお、このような凹凸領域を導光板１２０の表面に形成するための手法に特に限定はなく、例えば、レーザを用いた加工によって、導光板１２０の第一側面１２１および第二側面１２２のそれぞれの所定の領域内に、微細な凹または凸が複数形成されてもよい。
【００４４】
また、例えば、エッチング処理によって細かな凹凸が形成された金型を用いて導光板１２０を成形することで、凹凸領域を有する導光板１２０を得ることも可能である。
【００４５】
本実施の形態では、このような加工によって効率よく光を放出する第一側面１２１に沿って、表示シート１５０が配置されており、その結果、表示シート１５０に描かれた図形等を、視認性の高い状態で多数の人に提示することができる。
【００４６】
また、図１〜図３Ｂには図示していないが、本実施の形態に係る照明装置１００は、第二側面１２２に沿って配置された表示シート１５０も備えており、第二側面１２２側においても、図形等を視認性の高い状態で提示することができる。
【００４７】
［表示シートの着脱構造および着脱の手順］
次に、照明装置１００における、表示シート１５０の筐体１３０に対する着脱構造およびその手順等について、図４〜図８を用いて説明する。
【００４８】
図４は、表示シート１５０が有する一対の係合部の間隔と、筐体１３０が有する一対の取付部の間隔との関係を示す図である。
【００４９】
図５は、筐体１３０が有する第一取付部１４１および第二取付部１４２の構成概要を示す図である。
【００５０】
図６は、表示シート１５０の第一係合部１５１が筐体１３０の第一取付部１４１と係合する様子を示す図である。
【００５１】
図４の（ａ）に示すように、第一取付部１４１および第二取付部１４２は、筐体１３０における、導光板１２０の第一側面１２１側および第二側面１２２側の双方に配置されている。
【００５２】
つまり、表示シート１５０は、第二側面１２２側に配置された第一取付部１４１および第二取付部１４２を利用して、第二側面１２２に沿うように筐体１３０に取付可能である。
【００５３】
具体的には、表示シート１５０は、第一係合部１５１が第二側面１２２側の第一取付部１４１と係合し、第二係合部１５２が第二側面１２２側の第二取付部１４２と係合することで第二側面１２２に沿って配置される。この場合、表示シート１５０は、第二側面１２２から放出される光によって情報を表示する。
【００５４】
なお、第一側面１２１に沿って配置される表示シート１５０と、第二側面１２２に沿って配置される表示シート１５０とは、同一種類であってもよく、異なる種類であってもよい。つまり、照明装置１００において導光板１２０の第一側面１２１側に表示される情報と、導光板１２０の第二側面１２２側に表示される情報とは同一であってもよく、異なっていてもよい。
【００５５】
また、図４の（ｂ）に示すように、表示シート１５０が有する第一係合部１５１と第二係合部１５２との間隔をＬ１とし、図４の（ａ）に示すように、筐体１３０が有する第一取付部１４１と第二取付部１４２との間隔をＬ２とした場合、Ｌ２＜Ｌ１である。
【００５６】
さらに、本実施の形態では、第一係合部１５１および第二係合部１５２のそれぞれは、表示シート１５０の厚み方向に突出する突出部を有する。具体的には、第一係合部１５１は第一突出部１５１ａを有し、第二係合部１５２は第二突出部１５２ａを有する。
【００５７】
このような構成において、表示シート１５０を撓ませることで、第一係合部１５１と第二係合部１５２との間の距離が、第一取付部１４１と第二取付部１４２との間の距離に合わせられ、この状態で、筐体１３０に対する着脱が行われる。
【００５８】
より詳細には、図５に示すように、第一取付部１４１は、第一係合部１５１の第一突出部１５１ａを有する部分の差し込みが可能な大きさの孔または切り欠きを形成する第一差込部１４１ａを有する。第一取付部１４１はさらに、第一差込部１４１ａから、第一取付部１４１と第二取付部１４２とを結ぶ方向（Ｘ軸に平行な双方向、以下同じ）に沿って延設された第一空隙部１４１ｂを有する。本実施の形態では、第一空隙部１４１ｂは、第一差込部１４１ａから第二取付部１４２とは反対側（図５における左側）に延設されている。
【００５９】
第一空隙部１４１ｂは、第一差込部１４１ａに差し込まれた第一係合部１５１の、第一取付部１４１と第二取付部１４２とを結ぶ方向への移動（本実施の形態では、第二取付部１４２とは反対側への移動）を許容し、かつ、差し込みの方向とは逆方向への抜け出しを許容しない大きさの空隙を形成する部分である。
【００６０】
また、第二取付部１４２は、第二係合部１５２の第二突出部１５２ａを有する部分の差し込みが可能な大きさの孔または切り欠きを形成する第二差込部１４２ａを有する。第二取付部１４２はさらに、第二差込部１４２ａから、第一取付部１４１と第二取付部１４２とを結ぶ方向に沿って延設された第二空隙部１４２ｂを有する。本実施の形態では、第二空隙部１４２ｂは、第二差込部１４２ａから第一取付部１４１とは反対側（図５における右側）に延設されている。
【００６１】
第二空隙部１４２ｂは、第二差込部１４２ａに差し込まれた第二係合部１５２の、第一取付部１４１と第二取付部１４２とを結ぶ方向への移動（本実施の形態では、第一取付部１４１とは反対側への移動）を許容し、かつ、差し込みの方向とは逆方向への抜け出しを許容しない大きさの空隙を形成する部分である。
【００６２】
なお、本実施の形態では、第一差込部１４１ａおよび第二差込部１４２ａのそれぞれは、筐体１３０の導光板１２０が貫通するスリットの縁に、切り欠きを形成するように設けられている。しかし、第一差込部１４１ａおよび第二差込部１４２ａのそれぞれは、当該スリットの近傍に、孔を形成するように設けられていてもよい。
【００６３】
ここで、例えば第一係合部１５１に着目すると、図６に示すように、第一係合部１５１の第一突出部１５１ａを有する部分が第一差込部１４１ａに差し込まれることで、第一突出部１５１ａが筐体１３０の内方に挿入される。その後、第一係合部１５１を、第一空隙部１４１ｂに沿って左方に移動させる。その結果、第一突出部１５１ａが、筐体１３０の内面に引っかかり、第一係合部１５１が抜け出せない状態となる。
【００６４】
つまり、第一空隙部１４１ｂの、平面視において長手方向に交差する方向の幅は、表示シート１５０の厚み以上であり、かつ、第一突出部１５１ａの同方向の幅よりも小さい。
【００６５】
また、図示は省略するが、第二係合部１５２についても同様に、第二差込部１４２ａに差し込んで右方に移動させることで、第二突出部１５２ａが、筐体１３０の内面に引っかかり、第二係合部１５２が抜け出せない状態となる。
【００６６】
なお、第一突出部１５１ａおよび第二突出部１５２ａのそれぞれは、例えば、表示シート１５０に後付けの別部品として作製することができる。
【００６７】
図７は、第一突出部１５１ａの構成例を示す図である。
【００６８】
図７に示すように、第一突出部１５１ａは、軸を有する軸部材１５１ｂと、軸と嵌合する嵌合部材１５１ｃとを有する。また、表示シート１５０の端部には、軸部材１５１ｂの軸が貫通する取付孔１５６が形成されている。
【００６９】
具体的には、表示シート１５０は、第一係合部１５１を配置すべき位置に設けられた係合片部１５５を有し、係合片部１５５に取付孔１５６が形成されている。つまり、軸部材１５１ｂの軸が取付孔１５６を貫通した状態で、当該軸と嵌合部材１５１ｃとが嵌合し、これにより第一突出部１５１ａを有する第一係合部１５１が表示シート１５０に設けられる。
【００７０】
なお、軸部材１５１ｂおよび嵌合部材１５１ｃのそれぞれは、例えば、ＰＥＴ等の樹脂を素材とする成形品であり、作製が容易で、かつ、表示シート１５０への取り付け（組み込み）も容易である。
【００７１】
このように、第一突出部１５１ａを、表示シート１５０の本体（第一突出部１５１ａ以外の部分）とは別部品として作製することで、例えば、第一係合部１５１の筐体１３０との係合における強度の向上、および、表示シート１５０の作製の容易化等が図られる。
【００７２】
なお、第二突出部１５２ａについても第一突出部１５１ａと同様に、軸部材と嵌合部材とによって構成することができる。
【００７３】
また、第一突出部１５１ａおよび第二突出部１５２ａのそれぞれは、別部品ではなく、表示シート１５０の一部によって形成されていてもよい。例えば、係合片部１５５の先端を塑性変形させることで、第一突出部１５１ａが形成されてもよい。
【００７４】
以上のように構成された照明装置１００における、表示シート１５０の着脱の手順について図８を用いて説明する。
【００７５】
図８は、照明装置１００における表示シート１５０の取り付けの手順を示す図である。
【００７６】
図８に示すように、まず、表示シート１５０の、第一係合部１５１および第二係合部１５２を、筐体１３０の、第一取付部１４１および第二取付部１４２が設けられた面に向ける。なお、この状態は、図８において点線の表示シート１５０によって表現されている。
【００７７】
次に、表示シート１５０の第一係合部１５１と第二係合部１５２との距離を縮めるように、表示シート１５０を撓ませる。これにより、第一係合部１５１を第一取付部１４１に係合させ、第二係合部１５２を第二取付部１４２に係合させることができる。
【００７８】
ここで、図４の（ａ）に示す距離Ｌ２は、例えば、第一取付部１４１の第一差込部１４１ａと第二取付部１４２の第二差込部１４２ａとの間の距離として規定される。また、図４の（ｂ）に示す距離Ｌ１は、例えば、第一係合部１５１の第一突出部１５１ａと、第二係合部１５２の第二突出部１５２ａとの間の距離として規定される。
【００７９】
この場合、表示シート１５０を撓ませることで、第一突出部１５１ａと第二突出部１５２ａとの間の距離Ｌ１を、第一差込部１４１ａと第二差込部１４２ａとの間の距離Ｌ２と一致（略一致も含む、以下同じ）させる。つまり、第一突出部１５１ａを第一差込部１４１ａの位置に合わせ、かつ、第二突出部１５２ａの位置を第二差込部１４２ａの位置に合わせる。
【００８０】
この状態で、第一突出部１５１ａを第一差込部１４１ａに差し込み、第二突出部１５２ａを第二差込部１４２ａに差し込み、さらに、表示シート１５０の撓みを元に戻す。具体的には、表示シート１５０を撓ませていた力を解放することで、表示シート１５０の弾性によって、表示シート１５０は撓みのない状態に戻る（自然長になる）。
【００８１】
その結果、図６を用いて説明したように、第一係合部１５１が第一取付部１４１に係合し、第二係合部１５２が第二取付部１４２に係合し、表示シート１５０の筐体１３０への取り付けが完了する。
【００８２】
また、表示シート１５０の筐体１３０からの取り外しは、上記手順の逆の手順によって行われる。つまり、表示シート１５０を撓ませることで、第一突出部１５１ａの位置を、第一差込部１４１ａの位置に合わせ、かつ、第二突出部１５２ａの位置を、第二差込部１４２ａの位置に合わせる。
【００８３】
この状態で、第一突出部１５１ａを第一差込部１４１ａから抜き出し、第二突出部１５２ａを第二差込部１４２ａから抜き出す。これにより、表示シート１５０の筐体１３０からの取り外しが完了する。
【００８４】
なお、図８では、導光板１２０の第一側面１２１に沿って表示シート１５０を取り付ける手順を示しているが、導光板１２０の第二側面１２２に沿って表示シート１５０を取り付ける手順もこれと同じである。
【００８５】
図９は、導光板１２０の第二側面１２２に沿って表示シート１５０が配置される様子を示す図である。
【００８６】
なお、図９では、第一側面１２１に沿って配置される表示シート１５０を表示シート１５０ａと表記し、第二側面１２２に沿って配置される表示シート１５０を表示シート１５０ｂと表記している。
【００８７】
導光板１２０の第二側面１２２に沿って表示シート１５０ｂを取り付ける場合、表示シート１５０ｂを撓ませることで、第一突出部１５１ａの位置を、第二側面１２２側の第一差込部１４１ａの位置に合わせる。さらに、第二突出部１５２ａの位置を、第二側面１２２側の第二差込部１４２ａの位置に合わせる。
【００８８】
この状態で、第一突出部１５１ａを第一差込部１４１ａに差し込み、第二突出部１５２ａを第二差込部１４２ａに差し込み、かつ、表示シート１５０ｂの撓みを元に戻す。これにより、表示シート１５０ｂの筐体１３０への取り付けが完了する。
【００８９】
また、表示シート１５０ｂの筐体１３０からの取り外しは、上記手順の逆の手順であり、表示シート１５０ｂを撓ませた状態で、第一突出部１５１ａを第一差込部１４１ａから抜き出し、第二突出部１５２ａを第二差込部１４２ａから抜き出す。これにより、表示シート１５０ｂの筐体１３０からの取り外しが完了する。
【００９０】
なお、導光板１２０の第一側面１２１および第二側面１２２の両方に、表示シート１５０を配置した場合、裏側の表示シート１５０の図形等が透ける可能性もある。つまり、照明装置１００を、第二側面１２２側から見た場合、表示シート１５０ｂの向こう側に存在する表示シート１５０ａの図形等が見える可能性もある。
【００９１】
しかし、本実施の形態に係る導光板１２０には、上述のように、第一側面１２１および第二側面１２２の両方に凹凸領域が形成されている。そのため、これら凹凸領域は、裏側の表示シート１５０の図形等を透け難くする要素としても機能する。
【００９２】
以上のように、本実施の形態に係る照明装置１００は、可撓性を有する表示シート１５０を備え、導光板１２０の側面に沿って配置された表示シート１５０を裏面から照らす構成を有している。つまり、導光板１２０の当該側面から放出する光の一部が、表示シート１５０を透過し、これにより、表示シート１５０に描かれた図形等による情報の報知が行われる。
【００９３】
また、例えば図８を用いて説明したように、表示シート１５０を撓ませて上下方向に移動させることで、筐体１３０への着脱を行うことができるため、表示シート１５０の交換が容易である。
【００９４】
従って、本実施の態様に係る照明装置１００によれば、照明装置１００が表示する情報の変更を容易に行うことができる。
【００９５】
なお、実施の形態に係る照明装置１００は、情報の表示に関する構成として、図１〜図９を用いて説明された構成以外の構成を有してもよい。そこで、照明装置１００の構成についての各種の変形例を、上記実施の形態との差分を中心に以下に説明する。
【００９６】
（実施の形態の変形例１）
図１０は、実施の形態の変形例１に係る照明装置１００の構成概要を示す斜視図である。
【００９７】
図１０に示す照明装置１００は、第一側面１２１と表示シート１５０とに挟まれて配置され、第一側面１２１から放出される光を拡散して透過させる光拡散シート２５０を備える点に特徴を有する。
【００９８】
光拡散シート２５０は、例えば、乳半板と呼ばれる光透過性を有する乳白色の部材である。光拡散シート２５０を導光板１２０と表示シート１５０との間に挟むことで、例えば、光拡散シート２５０を通過して表示シート１５０に向かう光量の均一性が向上する。
【００９９】
また、基材が透明である表示シート１５０の場合、光拡散シート２５０自身の色によって、表示シート１５０に描かれた図形等に背景色を与えることができるため、例えば、表示シート１５０に描かれた図形等をより明瞭化させることも可能である。
【０１００】
つまり、光拡散シート２５０は、導光板１２０の側面（例えば第一側面１２１）から放出される光を拡散し、かつ、当該光の色を変換して透過させることができる。また、変換後の色としては、各種の色を採用することができる。
【０１０１】
なお、光拡散シート２５０は、表示シート１５０と同様に、可撓性を有し、光拡散シート２５０の端部が、筐体１３０の第一取付部１４１および第二取付部１４２と係合することで、筐体１３０に着脱自在に取り付けられる。
【０１０２】
具体的には、光拡散シート２５０は、端部において並んで配置された第一係合部２５１と第二係合部２５２を有する。
【０１０３】
第一係合部２５１は、光拡散シート２５０の厚み方向に突出する第一突出部２５１ａを有し、第二係合部２５２は、光拡散シート２５０の厚み方向に突出する第二突出部２５２ａを有する。
【０１０４】
なお、第一突出部２５１ａおよび第二突出部２５２ａのそれぞれは、例えば図７に示すような軸部材と嵌合部材とによって構成されており、光拡散シート２５０の端部に設けられた取付孔に、軸部材の軸が貫通した状態で当該端部に配置されている。
【０１０５】
つまり、光拡散シート２５０は、筐体１３０に着脱自在に取り付けられるための構成として、表示シート１５０と同様に、一対の係合部（２５１、２５２）を有しており、表示シート１５０と同様の手順で、筐体１３０に対する着脱が行われる。
【０１０６】
すなわち、光拡散シート２５０を筐体１３０に取り付ける場合、光拡散シート２５０を撓ませることで、第一突出部２５１ａの位置を、筐体１３０の第一差込部１４１ａの位置に合わせ、かつ、第二突出部２５２ａの位置を第二差込部１４２ａの位置に合わせる。
【０１０７】
この状態で、第一突出部２５１ａを第一差込部１４１ａに差し込み、第二突出部２５２ａを第二差込部１４２ａに差し込み、かつ、光拡散シート２５０の撓みを元に戻す。これにより、光拡散シート２５０の筐体１３０への取り付けが完了する。
【０１０８】
また、光拡散シート２５０の筐体１３０からの取り外しは、上記手順の逆の手順であり、光拡散シート２５０を撓ませた状態で、第一突出部２５１ａを第一差込部１４１ａから抜き出し、第二突出部２５２ａを第二差込部１４２ａから抜き出す。これにより、光拡散シート２５０の筐体１３０からの取り外しが完了する。
【０１０９】
なお、例えば導光板１２０の第一側面１２１側に、光拡散シート２５０と表示シート１５０とを取り付ける場合、図１０に示すように、光拡散シート２５０の上に重ねられるように表示シート１５０が取り付けられる。そのため、第一係合部２５１および第二係合部２５２の間の距離は、表示シート１５０の第一係合部１５１および第二係合部１５２の間の距離Ｌ１（図４の（ｂ）参照）よりも長い。これにより、光拡散シート２５０の第一係合部２５１および第二係合部２５２が、表示シート１５０の第一係合部１５１および第二係合部１５２と干渉することが防止される。
【０１１０】
つまり、表示シート１５０の取り付けの際における、表示シート１５０の撓んだ状態から元の状態に戻る動きに対し、光拡散シート２５０の第一係合部２５１および第二係合部２５２が邪魔にならないようにこれらを配置することができる。
【０１１１】
また、光拡散シート２５０と表示シート１５０とを重ねて、２組の軸部材１５１ｂおよび嵌合部材１５１ｃ（図７参照）によって光拡散シート２５０と表示シート１５０とを１つにまとめた状態で、筐体１３０に取り付けてもよい。
【０１１２】
つまり、第一突出部１５１ａの側に着目すると、軸部材１５１ｂを、光拡散シート２５０の端部に形成された取付孔、および、表示シート１５０の端部に形成された取付孔（例えば図７に示す取付孔１５６）に軸が貫通した状態で、嵌合部材１５１ｃと嵌合させる。光拡散シート２５０は、第一突出部１５１ａが第一取付部１４１と係合することで、表示シート１５０とともに、筐体１３０に着脱自在に取り付けられる。
【０１１３】
すなわち、分解および組み立てが容易な第一突出部１５１ａおよび第二突出部１５２ａを表示シート１５０と光拡散シート２５０とで共用することで、表示シート１５０と光拡散シート２５０とを一括して筐体１３０に取りけることも可能である。
【０１１４】
また、図１０では、導光板１２０の第一側面１２１側に、光拡散シート２５０と表示シート１５０とが取り付けられる様子が図示されているが、導光板１２０の第二側面１２２側にも同様に、光拡散シート２５０と表示シート１５０とを取り付けることが可能である。
【０１１５】
（実施の形態の変形例２）
図１１は、実施の形態の変形例２に係る照明装置１００の構成概要を示す斜視図である。
【０１１６】
図１１に示す照明装置１００は、導光板１２０の両側面（１２１、１２２）に沿って配置される部分を一体に有する表示シート１６０を備える点に特徴を有する。
【０１１７】
表示シート１６０は、上記実施の形態に係る表示シート１５０と同じく、例えば、ＰＥＴを素材とする透明なシート状の基材に、図形等が印刷された部材であり、厚さは、例えば０．５ｍｍ程度である。
【０１１８】
表示シート１６０は、第一側面１２１に沿って配置される第一シート部１６０ａと、第二側面１２２に沿って配置される第二シート部１６０ｂとを一体に有している。また、第一シート部１６０ａおよび第二シート部１６０ｂのそれぞれは、第一係合部１５１および第二係合部１５２を有している。
【０１１９】
つまり、表示シート１６０は、例えば図９に示す表示シート１５０ａと表示シート１５０ｂとを各々の下端で接続したような形状を有している。
【０１２０】
この表示シート１６０は、第一シート部１６０ａおよび第二シート部１６０ｂのそれぞれが、例えば図８に示す手順で筐体１３０に取り付けられることで、情報を表示する部材として機能する。
【０１２１】
なお、図１１では、表示シート１６０を、第一シート部１６０ａと第二シート部１６０ｂとが互いに平行になる状態で図示しているが、表示シート１６０は、この形状で固定されている必要はない。
【０１２２】
例えば、表示シート１６０は、筐体１３０への取り付け前は、両端のそれぞれに第一係合部１５１および第二係合部１５２が配置された平板状のシートであり、筐体１３０への取り付けの際に中央付近で折り曲げられることで、図１１に示す形状になってもよい。
【０１２３】
本変形例に係る表示シート１６０は、第一シート部１６０ａの筐体１３０と係合していない端部と、第二シート部１６０ｂの筐体１３０と係合していない端部とが接続されている。そのため、例えば、第一シート部１６０ａおよび第二シート部１６０ｂが風または振動等によってめくれ上がることが防止される。
【０１２４】
また、仮に、導光板１２０が鉛直方向に対して傾いた姿勢となる状態で照明装置１００が設置された場合であっても、第一シート部１６０ａおよび第二シート部１６０ｂのそれぞれを、導光板１２０の側面に沿った状態に維持させることができる。
【０１２５】
（実施の形態の変形例３）
図１２は、実施の形態の変形例３に係る照明装置１００の構成概要を示す斜視図である。
【０１２６】
図１２に示す照明装置１００は、導光板１２０が上向きになるように設置されている点で、上記実施の形態に係る照明装置１００とは異なる。
【０１２７】
つまり、照明装置１００の設置の態様に特に限定はなく、例えば、床面またはテーブル等の上に、図１２に示すように、導光板１２０を上向きにして設置することも可能である。
【０１２８】
なお、この場合、表示シート１５０に換えて、上記変形例２に係る表示シート１６０（図１１参照）を取り付けることで、情報を表示する面（第一シート部１６０ａ、第二シート部１６０ｂ）を、導光板１２０に安定的に沿わせることができる。
【０１２９】
また、照明装置１００の設置の態様としては、上述の天井面への設置、床面またはテーブル等への設置のほか、ワイヤ等を用いた天井面からの吊り下げが例示される。また、導光板１２０が壁面に平行となる姿勢で、照明装置１００を当該壁面に設置することも可能である。
【０１３０】
（実施の形態の変形例４）
図１３は、実施の形態の変形例４に係る照明装置１００の構成概要を示す図である。
【０１３１】
図１３に示す照明装置１００は、設置位置の変更を容易に行うことができる点で、上記実施の形態に係る照明装置１００とは異なる。
【０１３２】
具体的には、照明装置１００は、天井面に配置された、または、天井面から吊り下げられた配線ダクト２００に取り付けられており、配線ダクト２００に沿った位置であれば、ユーザの所望の位置に、照明装置１００を設置することができる。
【０１３３】
配線ダクト２００は、照明装置１００への電力供給を行う電力線が内部に配置されたレールであり、レールに沿って移動可能なプラグ２２０を介して、照明装置１００に点灯のための電力を供給する。なお、配線ダクト２００は、「ライティングレール」等とも呼ばれる。
【０１３４】
また、本変形例では、照明装置１００を回動可能に軸支する軸支部材２１０によって、プラグ２２０と照明装置１００とが接続されている。
【０１３５】
これにより、ユーザは、照明装置１００を、表示シート１５０が所定の方向に向くように、水平面内において回動させることができる。
【０１３６】
すなわち、本変形例に係る照明装置１００は、配線ダクト２００に沿った方向への位置変更と、表示シート１５０の向きの変更とが可能である。
【０１３７】
例えば、店舗またはイベント会場などにおいて配線ダクト２００が設置されている場合、配線ダクト２００を利用して図１３に示す態様で照明装置１００を設置することで、報知すべき情報を、当該情報に適した位置および向きで表示することができる。
【０１３８】
なお、プラグ２２０および軸支部材２１０は、照明装置１００の一部であってもよく、照明装置１００とは別部品として実現されてもよい。
【０１３９】
（その他）
以上、本発明に係る照明装置について、上記実施の形態およびその変形例に基づいて説明したが、本発明は、上記実施の形態およびその変形例に限定されるものではない。
【０１４０】
例えば、表示シート１５０が有する第一係合部１５１および第二係合部１５２の両方が突出部を有する必要はない。
【０１４１】
例えば、第二取付部１４２が表示シート１５０の厚み方向に突出する突起を有する場合、第二係合部１５２は、第二突出部１５２ａを有さず、当該突起に係合する切り欠きまたは孔を有していてもよい。
【０１４２】
この場合、第二係合部１５２を当該突起に係合させた状態で、表示シート１５０を撓ませて、第一係合部１５１を、図６に示すように第一取付部１４１に係合させる。
【０１４３】
この場合であっても、表示シート１５０の筐体１３０に対する着脱を容易に行うことができる。
【０１４４】
また、Ｌ１＜Ｌ２となるように構成しても構わない。この場合には、図６とは逆に、第一係合部１５１を第一取付部１４１に係合させ、第一差込部１４１ａに沿って右方に移動させた後に、第二係合部１５２を第二取付部１４２に係合させる。その後に、第一係合部１５１および第二係合部１５２を含む表示シート１５０を左側に移動させる。
【０１４５】
このようにしても、表示シート１５０を筐体１３０に取り付けることができ、逆の手順により取り外すことができる。
【０１４６】
また、表示シート１５０、１６０において、図形等は印刷されている必要はない。例えば、透光性の高い基材に、所定の形状に切り取られたフィルムを貼り付けることで、情報を表示する表示シート１５０、１６０が作製されてもよい。
【０１４７】
また、発光装置１１０が有する発光素子１１２は、表面実装型ＬＥＤ素子またはＬＥＤチップであるとした。しかし、発光装置１１０が有する発光素子１１２の種類は、ＬＥＤに限定されない。発光装置１１０は、例えば、半導体レーザ等の半導体発光素子、有機ＥＬ（Ｅｌｅｃｔｒｏ  Ｌｕｍｉｎｅｓｃｅｎｃｅ）または無機ＥＬ等の発光素子を有してもよい。
【０１４８】
また、発光装置１１０が有する光源は、半導体発光素子でなくてもよい。発光装置１１０は、光源として１以上の蛍光管を有してもよい。つまり、発光装置１１０は、１以上の蛍光管から放出される光を導光板１２０に入射してもよい。
【０１４９】
その他、上記実施の形態および変形例に対して当業者が思いつく各種変形を施して得られる形態、および、本発明の趣旨を逸脱しない範囲で上記実施の形態および変形例における構成要素および機能を任意に組み合わせることで実現される形態も本発明に含まれる。
【符号の説明】
【０１５０】
１００  照明装置
１１０  発光装置
１１１  基板
１１２  発光素子
１２０  導光板
１２１  第一側面
１２２  第二側面
１２５  端面
１３０  筐体
１３１  本体部
１３２  保持体
１３３  カバー
１４１  第一取付部
１４１ａ  第一差込部
１４１ｂ  第一空隙部
１４２  第二取付部
１４２ａ  第二差込部
１４２ｂ  第二空隙部
１５０、１５０ａ、１５０ｂ、１６０  表示シート
１５１  第一係合部
１５１ａ  第一突出部
１５１ｂ  軸部材
１５１ｃ  嵌合部材
１５２  第二係合部
１５２ａ  第二突出部
１５５  係合片部
１５６  取付孔
１６０ａ  第一シート部
１６０ｂ  第二シート部
１７０  駆動回路
２００  配線ダクト
２１０  軸支部材
２２０  プラグ
２５０  光拡散シート
２５１  第一係合部
２５１ａ  第一突出部
２５２  第二係合部
２５２ａ  第二突出部
【図１】
0006315335.tif 000002
【図２】
0006315335.tif 000003
【図３Ａ】
0006315335.tif 000004
【図３Ｂ】
0006315335.tif 000005
【図４】
0006315335.tif 000006
【図５】
0006315335.tif 000007
【図６】
0006315335.tif 000008
【図７】
0006315335.tif 000009
【図８】
0006315335.tif 000010
【図９】
0006315335.tif 000011
【図１０】
0006315335.tif 000012
【図１１】
0006315335.tif 000013
【図１２】
0006315335.tif 000014
【図１３】
0006315335.tif 000015